(57)【要約】【課題】光ディスクの種類に応じたファイナライズ処理のメッセージを表示する。【解決手段】ユーザが光ディスク１９を取り出す場合、ディスク情報取得部３１は、光ディスク１９から、光ディスクの種類、記録フォーマット、およびディスク状態の情報を取得し、取得した情報をディスク判定部３２およびファイナライズ判定部３３に供給する。ディスク判定部３２は、ディスクの種類と記録フォーマットとの組み合わせによりファイナライズ処理が必要か否かを判定する。ファイナライズ判定部３３は、ディスク判定部３２の判定結果を基に、光ディスクがファイナライズ処理されているか否かを判定する。メッセージ表示制御部３４は、ファイナライズ判定部３３の判定結果を基に、光ディスクの種類に応じたファイナライズ処理のメッセージを表示させるようにする。本発明は、記録再生装置に適用できる。【選択図】図１
2008159262.tif 000002
【特許請求の範囲】
【請求項１】
光ディスクにデータを記録する記録装置において、
前記光ディスクがＤＶＤである場合に、前記光ディスクに関する少なくとも前記光ディスクの種類、記録フォーマット、およびファイナライズ処理が行われたか否かを示す情報に基づいて、前記光ディスクに前記ファイナライズ処理が必要であるか否かを判定する判定手段と、
前記判定手段による判定結果に応じた通知を制御する通知制御手段と
を備えた記録装置。
【請求項２】
前記通知制御手段は、前記判定手段により前記光ディスクに前記ファイナライズ処理が必要であると判定された場合、前記ファイナライズ処理に関する通知を制御する
ことを特徴とする請求項１に記載の記録装置。
【請求項３】
前記通知は、前記ファイナライズ処理が必要であることを示す通知である
ことを特徴とする請求項２に記載の記録装置。
【請求項４】
前記通知は、前記ファイナライズ処理が実行できることを示す通知である
ことを特徴とする請求項２に記載の記録装置。
【請求項５】
前記通知制御手段は、前記判定手段により前記光ディスクに前記ファイナライズ処理が必要であると判定された場合、前記ファイナライズ処理の実行を指示するボタンの表示を制御する
ことを特徴とする請求項１に記載の記録装置。
【請求項６】
前記通知制御手段は、前記判定手段により前記光ディスクに前記ファイナライズ処理が必要であると判定された場合、前記ファイナライズ処理に必要な時間の通知を制御する
ことを特徴とする請求項１に記載の記録装置。
【請求項７】
前記判定手段は、前記光ディスクに関する少なくとも前記光ディスクの種類、前記記録フォーマット、および前記ファイナライズ処理が行われたか否かを示す情報に基づいて、前記光ディスクに前記ファイナライズ処理が必要であるか、推奨するか、あるいは不要であるかを判定し、
前記通知制御手段は、前記判定手段により前記光ディスクに前記ファイナライズ処理が必要であると判定された場合、前記ファイナライズ処理が必要であることを示す通知を制御し、前記光ディスクに前記ファイナライズ処理を推奨すると判定された場合、前記処理を推奨することを示す通知を制御する
ことを特徴とする請求項１に記載の記録装置。
【請求項８】
光ディスクにデータを記録する記録装置の記録方法において、
前記光ディスクがＤＶＤである場合に、前記光ディスクに関する少なくとも前記光ディスクの種類、記録フォーマット、およびファイナライズ処理が行われたか否かを示す情報に基づいて、前記光ディスクに前記ファイナライズ処理が必要であるか否かを判定する判定ステップと、
前記判定ステップの処理による判定結果に応じた通知を制御する通知制御ステップと
を含む記録方法。
【請求項９】
光ディスクにデータを記録する記録処理用のプログラムであって、
前記光ディスクがＤＶＤである場合に、前記光ディスクに関する少なくとも前記光ディスクの種類、記録フォーマット、およびファイナライズ処理が行われたか否かを示す情報に基づいて、前記光ディスクに前記ファイナライズ処理が必要であるか否かを判定する判定ステップと、
前記判定ステップの処理による判定結果に応じた通知を制御する通知制御ステップと
を含むコンピュータが読み取り可能なプログラムが記録されている記録媒体。
【請求項１０】
光ディスクにデータを記録する記録装置のコンピュータに、記録処理を行わせるプログラムにおいて、
前記光ディスクがＤＶＤである場合に、前記光ディスクに関する少なくとも前記光ディスクの種類、記録フォーマット、およびファイナライズ処理が行われたか否かを示す情報に基づいて、前記光ディスクに前記ファイナライズ処理が必要であるか否かを判定する判定ステップと、
前記判定ステップの処理による判定結果に応じた通知を制御する通知制御ステップと
を含むプログラム。
【発明の詳細な説明】
【技術分野】
【０００１】
本発明は記録装置および方法、記録媒体、並びにプログラムに関し、特に、ファイナライズのメッセージを表示することができるようにした記録装置および方法、記録媒体、並びにプログラムに関する。
【背景技術】
【０００２】
昨今、例えば、デジタルビデオカメラまたはDVD（Digital Versatile Disk）レコーダなど、CD（Compact Disc）やDVDなどの光ディスクに画像または音声などの各種のデータを記録するか、または光ディスクに記録されている各種のデータを再生する記録再生装置が普及している。記録再生装置において各種のデータが記録された光ディスクを、他の記録再生装置で記録または再生を行うためには、セッションクローズまたはボーダークローズなどのファイナライズ処理（記録情報の最終処理）が必要となる場合がある。
【０００３】
また、ファイナライズ（処理）は、時間がかかることが多いので、ディスク交換などの目的で、少しでも早く光ディスクを取り出したいというユーザのニーズに応えるために、ファイナライズを行わずに光ディスクを取り出せるようにしている記録再生装置がある。
【０００４】
さらに、ファイナライズ処理時間を短くした簡易ファイナライズを設けている情報記録装置がある（例えば、特許文献１参照）。この情報記録装置においては、再生装置でのファイナライズ後の記録媒体の再生を保証するため、通常のファイナライズと同等になるように追記出来るようにしている。
【０００５】
また、DVD-Rの取り出し命令が入力されると、ユーザにファイナライズ記録を行うか否かの選択を要求し、その選択結果に応じてファイナライズ記録を行い、その後、DVD-Rの取り出しを実行する記録装置がある（例えば、特許文献２参照）。さらに、DVD-Rの取り出し命令が入力された時、ファイナライズ記録を行った後、DVD-Rの取り出しを実行する記録装置がある（例えば、特許文献３参照）。
【０００６】
【特許文献１】特開２００３−１３２６３０号公報
【特許文献２】特開２００２−３７３４２３号公報
【特許文献３】特開２００２−３７３４１８号公報
【発明の開示】
【発明が解決しようとする課題】
【０００７】
しかしながら、ファイナライズを行わずに光ディスクを取り出してしまうと、その光ディスクを他の記録再生装置で記録または再生することができなくなるという問題があった。
【０００８】
また、例えば、特開２００３−１３２６３０号公報、特開２００２−３７３４２３号公報、または特開２００２−３７３４１８号公報に開示されている装置は、光ディスクの種類と記録フォーマットとの組み合わせに応じたメッセージを表示することができなかった。従って、ユーザは、ファイナライズ処理が必要であるか否かを知ることができなかった。
【０００９】
本発明はこのような状況に鑑みてなされたものであり、ファイナライズが行われていない光ディスクの種類と記録フォーマットとの組み合わせにより、所定のメッセージを表示させることで、ユーザに対して、光ディスクにファイナライズの実行を促すようにするものである。
【課題を解決するための手段】
【００１０】
本発明の記録装置は、光ディスクがＤＶＤである場合に、光ディスクに関する少なくとも光ディスクの種類、記録フォーマット、およびファイナライズ処理が行われたか否かを示す情報に基づいて、光ディスクにファイナライズ処理が必要であるか否かを判定する判定手段と、判定手段による判定結果に応じた通知を制御する通知制御手段とを備える。
【００１１】
通知制御手段は、判定手段により光ディスクにファイナライズ処理が必要であると判定された場合、ファイナライズ処理に関する通知を制御することができる。
【００１２】
通知は、ファイナライズ処理が必要であることを示す通知であるようにすることができる。
【００１３】
通知は、ファイナライズ処理が実行できることを示す通知であるようにすることができる。
【００１４】
通知制御手段は、判定手段により光ディスクにファイナライズ処理が必要であると判定された場合、ファイナライズ処理の実行を指示するボタンの表示を制御することができる。
【００１５】
通知制御手段は、判定手段により光ディスクにファイナライズ処理が必要であると判定された場合、ファイナライズ処理に必要な時間の通知を制御することができる。
【００１６】
判定手段は、光ディスクに関する少なくとも光ディスクの種類、記録フォーマット、およびファイナライズ処理が行われたか否かを示す情報に基づいて、光ディスクにファイナライズ処理が必要であるか、推奨するか、あるいは不要であるかを判定し、通知制御手段は、判定手段により光ディスクにファイナライズ処理が必要であると判定された場合、ファイナライズ処理が必要であることを示す通知を制御し、光ディスクにファイナライズ処理を推奨すると判定された場合、処理を推奨することを示す通知を制御することができる。
【００１７】
本発明の記録方法は、光ディスクがＤＶＤである場合に、光ディスクに関する少なくとも光ディスクの種類、記録フォーマット、およびファイナライズ処理が行われたか否かを示す情報に基づいて、光ディスクにファイナライズ処理が必要であるか否かを判定する判定ステップと、判定ステップの処理による判定結果に応じた通知を制御する通知制御ステップとを含む。
【００１８】
本発明の記録媒体のプログラムは、光ディスクがＤＶＤである場合に、光ディスクに関する少なくとも光ディスクの種類、記録フォーマット、およびファイナライズ処理が行われたか否かを示す情報に基づいて、光ディスクにファイナライズ処理が必要であるか否かを判定する判定ステップと、判定ステップの処理による判定結果に応じた通知を制御する通知制御ステップとを含む。
【００１９】
本発明のプログラムは、光ディスクがＤＶＤである場合に、光ディスクに関する少なくとも光ディスクの種類、記録フォーマット、およびファイナライズ処理が行われたか否かを示す情報に基づいて、光ディスクにファイナライズ処理が必要であるか否かを判定する判定ステップと、判定ステップの処理による判定結果に応じた通知を制御する通知制御ステップとを含む。
【００２０】
本発明の記録装置および方法、記録媒体、並びにプログラムにおいては、光ディスクがＤＶＤである場合に、光ディスクに関する少なくとも光ディスクの種類、記録フォーマット、およびファイナライズ処理が行われたか否かを示す情報に基づいて、光ディスクにファイナライズ処理が必要であるか否かが判定され、判定結果に応じた通知が制御される。
【発明の効果】
【００２１】
本発明によれば、光ディスクの記録状態を知ることができる。また、本発明によれば、メッセージを表示することにより、ユーザに対して、光ディスクにファイナライズの実行を促すことができる。
【発明を実施するための最良の形態】
【００２２】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応していないものであることを意味するものではない。
【００２３】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００２４】
本発明によれば、記録装置が提供される。この記録装置（例えば、図１の記録装置１）は、光ディスクがＤＶＤである場合に、光ディスクに関する少なくとも光ディスクの種類、記録フォーマット、およびファイナライズ処理が行われたか否かを示す情報に基づいて、光ディスクにファイナライズ処理が必要であるか否かを判定する判定手段（例えば、図１のディスク判定部３２またはファイナライズ判定部３３）と、判定手段による判定結果に応じた通知を制御する通知制御手段（例えば、図１のメッセージ表示制御部３４）とを備える。
【００２５】
通知制御手段は、判定手段により光ディスクにファイナライズ処理が必要であると判定された場合、ファイナライズ処理に関する通知を制御することができる。
【００２６】
通知は、ファイナライズ処理が必要であることを示す通知であるようにすることができる。
【００２７】
通知は、ファイナライズ処理が実行できることを示す通知であるようにすることができる。
【００２８】
通知制御手段は、判定手段により光ディスクにファイナライズ処理が必要であると判定された場合、ファイナライズ処理の実行を指示するボタンの表示を制御することができる。
【００２９】
通知制御手段は、判定手段により光ディスクにファイナライズ処理が必要であると判定された場合、ファイナライズ処理に必要な時間の通知を制御することができる。
【００３０】
判定手段は、光ディスクに関する少なくとも光ディスクの種類、記録フォーマット、およびファイナライズ処理が行われたか否かを示す情報に基づいて、光ディスクにファイナライズ処理が必要であるか、推奨するか、あるいは不要であるかを判定し、通知制御手段は、判定手段により光ディスクにファイナライズ処理が必要であると判定された場合、ファイナライズ処理が必要であることを示す通知を制御し、光ディスクにファイナライズ処理を推奨すると判定された場合、処理を推奨することを示す通知を制御することができる。
【００３１】
本発明によれば、記録方法が提供される。この記録方法は、光ディスクがＤＶＤである場合に、光ディスクに関する少なくとも光ディスクの種類、記録フォーマット、およびファイナライズ処理が行われたか否かを示す情報に基づいて、光ディスクにファイナライズ処理が必要であるか否かを判定する判定ステップ（例えば、図３のステップＳ１４、ステップＳ１５、またはステップＳ１７の処理）と、判定ステップの処理による判定結果に応じた通知を制御する通知制御ステップ（例えば、図３のステップＳ１６、ステップＳ１８、またはステップＳ１９の処理）とを含む。
【００３２】
本発明によれば、プログラムが提供される。このプログラムは、光ディスクがＤＶＤである場合に、光ディスクに関する少なくとも光ディスクの種類、記録フォーマット、およびファイナライズ処理が行われたか否かを示す情報に基づいて、光ディスクにファイナライズ処理が必要であるか否かを判定する判定ステップ（例えば、図３のステップＳ１４、ステップＳ１５、またはステップＳ１７の処理）と、判定ステップの処理による判定結果に応じた通知を制御する通知制御ステップ（例えば、図３のステップＳ１６、ステップＳ１８、またはステップＳ１９の処理）とを実行させる。
【００３３】
このプログラムは、記憶媒体（例えば、図１１の磁気ディスク１２１）に記憶することができる。
【００３４】
以下、図面を参照しながら本発明の実施の形態について説明する。
【００３５】
図１は、本発明を適用したデジタルビデオカメラ１の一実施の形態の構成を示すブロック図である。
【００３６】
デジタルビデオカメラ１は、光ディスクにデータを記録する記録装置の一例である。
【００３７】
映像音声信号入力部１１は、例えば、レンズなどの光学系、CCD（Charge Coupled Devices）などの撮像素子、外部からの信号が入力される信号入力端子、映像信号の処理を行う映像信号回路などから構成される。
【００３８】
映像音声信号入力部１１は、撮像した画像または信号入力端子より入力される画像を画像データに変換し、変換した画像データを映像音声信号処理部１２に供給する。
【００３９】
また、映像音声信号入力部１１は、例えば、内蔵マイク、外付けのマイクなど外部からの音声信号が入力される音声信号入力端子、または音声信号の処理を行う音声信号処理回路なども含む。
【００４０】
映像音声信号入力部１１は、内蔵マイクで集音した音声または音声信号入力端子から入力される音声を音声データに変換し、変換した音声データを映像音声信号処理部１２に供給する。
【００４１】
画像音声信号処理部１２は、例えば、映像信号のエンコード回路若しくはデコード回路、または映像信号にOSD（On Screen Display）などの情報を合成する回路などから構成される。
【００４２】
画像音声信号処理部１２は、データを記録する場合、映像音声信号入力部１１から供給された画像データを圧縮して変換する。画像音声信号処理部１２は、後述する演算処理部１５から供給された表示情報を付加し、表示情報が付加された画像データを、光ディスクに記録する情報としてディスク制御部１３に供給する。
【００４３】
画像音声信号処理部１２は、データを再生する場合、ディスク制御部１３から供給された画像データを伸張する。画像音声信号処理部１２は、伸張された画像データに、必要応じて、演算処理部１５から供給されたOSD情報などを付加し、OSD情報などが付加された画像データを映像音声出力部１７に供給する。
【００４４】
また、画像音声信号処理部１２は、例えば、音声信号のエンコード回路またはデコード回路なども含む。
【００４５】
画像音声信号処理部１２は、データを記録する場合、映像音声信号入力部１１から供給された音声データを圧縮して変換する。画像音声信号処理部１２は、変換された音声データを、光ディスクに記録する情報としてディスク制御部１３に供給する。
【００４６】
画像音声信号処理部１２は、データを再生する場合、ディスク制御部１３から供給された音声データを伸張する。画像音声信号処理部１２は、伸張された音声データを映像音声出力部１７に供給する。
【００４７】
ディスク制御部１３は、データを記録する場合、ドライブ１８を制御し、画像音声信号処理部１２から供給された光ディスクに記録する情報を光ディスク１９に書き出す。また、ディスク制御部１３は、データを再生する場合、ドライブ１８を制御し、光ディスク１９より読み出した画像データまたは音声データを画像音声信号処理部１２に供給する。
【００４８】
さらに、ディスク制御部１３は、ドライブ１８に光ディスク１８を駆動させるなどして、光ディスクの種類、記録フォーマット、またはディスク状態の情報などを光ディスクの情報を取得し、演算処理部１５からの光ディスクの情報を取得する要求に応じて、光ディスクの種類、記録フォーマット、またはディスク状態の情報などを光ディスクの情報として演算処理部１５に供給する。
【００４９】
また、ディスク制御部１３は、演算処理部１５の制御により、ドライブ１８に光ディスク１９に対して、セッションクローズなどのファイナライズの処理を実行させる。
【００５０】
ユーザ操作入力部１４は、例えば、録画ボタン、ディスクの取り出しボタン、またはLCD（Liquid Crystal Display）によるタッチパネルなどのユーザがデジタルビデオカメラ１を操作するためのインターフェースとして構成される。ユーザ操作入力部１４は、ユーザの操作によるカメラ機能の変更、録画開始、録画終了、光ディスク１９の取り出し操作、またはファイナライズ（処理）の実行などに応じた制御信号を演算処理部１５に供給する。
【００５１】
なお、以下、ユーザの操作に応じた制御信号のうち、例えば、光ディスク１９の取り出しボタンが押された場合など、光ディスク１９の取り出しを要求する信号制御を光ディスク取り出し要求と称して説明する。
【００５２】
演算処理部１５は、例えば、CPU（Central Processing Unit）、ROM（Read Only Memory）またはRAM（Random Access Memory）などから構成され、ROMに記憶されているプログラムに従って各種の処理を実行する。演算処理部１５に内蔵されているRAMには、CPUが実行するプログラムやデータなどが適宜記憶される。
【００５３】
演算処理部１５は、ユーザ操作入力部１４から供給された光ディスク取り出し要求に応じて、ディスク制御部１３から供給された光ディスク情報を基に、光ディスク１９にファイナライズが必要であるか否かを判定する。演算処理部１５は、判定した結果に応じたメッセージの映像音声出力部１７への表示を制御する。
【００５４】
演算処理部１５は、ディスク情報取得部３１、ディスク判定部３２、ファイナライズ判定部３３、メッセージ表示制御部３４、およびファイナライズ制御部３５を含む。
【００５５】
ディスク情報取得部３１は、ユーザ操作入力部１４から供給された光ディスク取り出し要求を基に、ディスク制御部１３から光ディスク１９の情報を取得する。
【００５６】
具体的には、ディスク情報取得部３１は、ユーザ操作入力部１４から供給された光ディスク取り出し要求を基に、ディスク制御部１３から光ディスク１９の情報として、光ディスクの種類、記録フォーマット、および光ディスク状態の情報を取得する。ディスク情報取得部３１は、ディスク制御部１３から取得した光ディスクの情報のうち、光ディスクの種類および記録フォーマットをディスク判定部３２に供給し、ディスク制御部１３から取得した光ディスクの情報のうち、光ディスク状態の情報をファイナライズ判定部３３に供給する。
【００５７】
ここで、光ディスクの種類とは、例えば、DVDの場合には、DVD-ROM（Digital Versatile Disk Read Only Memory）、DVD-RAM（Digital Versatile Disk Random Access Memory）、DVD-R（DVD Specifications for Recordable Disc）、DVD-RW（DVD Specifications for Re-recordable Disc）、DVD+R（DVD Specifications for +Recordable Disc）、またはDVD+RW（DVD Specifications for +ReWritable Disc）などのその光ディスクが準拠している規格（を示す）をいう。
【００５８】
また、記録フォーマットとは、例えば、DVDの場合には、DVD-Video（ビデオモード）、DVD-VR（VRモード）、またはDVD+RW Video（+VRモード）などの記録方式（を示す情報）をいう。
【００５９】
さらに、光ディスク状態の情報とは、例えば、光ディスクのリードアウト（lead-out）の情報（ファイナライズ時に光ディスクに書き込まれる情報）などの光ディスクの状態に関係する情報である。
【００６０】
ディスク判定部３２は、ディスク情報取得部３１から供給された光ディスク情報のうち、光ディスクの種類の情報を基に、光ディスク１９の種類が予め定められた光ディスクの種類であるか否かを判定する。
【００６１】
具体的には、ディスク判定部３２は、ディスク情報取得部３１から供給された光ディスク情報のうち、光ディスクの種類の情報を基に、光ディスク１９の種類が、DVD-R、DVD-RW、またはDVD+RWであるか否かを判定する。
【００６２】
また、ディスク判定部３２は、ディスク情報取得部３１から供給された光ディスク情報のうち、光ディスクの種類および記録フォーマットの情報を基に、光ディスクの種類と記録フォーマットとが予め定められていた組み合わせであるか否かを判定する。
【００６３】
具体的には、ディスク判定部３２は、ディスク情報取得部３１から供給された光ディスク情報のうち、光ディスクの種類および記録フォーマットの情報を基に、光ディスクが、DVD-Videoフォーマット（ビデオモード）で記録されたDVD-R若しくはDVD-RW、DVD-VRフォーマット（VRモード）で記録されたDVD-RW、またはDVD+RW Videoフォーマットで記録されたDVD+RWであるか否かを判定する。
【００６４】
ファイナライズ判定部３３は、ディスク情報取得部３１から供給された光ディスク状態の情報を基に、光ディスク１９がファイナライズ済みの状態であるか否かを判定する。例えば、ファイナライズ判定部３３は、ディスク情報取得部３１から供給された光ディスク状態の情報であるリードアウト（lead-out）の情報を基に、光ディスク１９がファイナライズ済みの状態であるか否かを判定する。
【００６５】
メッセージ表示制御部３４は、記憶部１６に記憶されているメッセージを取得し、取得したメッセージを映像音声信号処理部１２に供給することで、メッセージを映像音声出力部１７に表示させる。
【００６６】
例えば、メッセージ表示制御部３４は、記憶部１６に記憶されている「プレーヤーで再生するにはファイナライズが必要です。ファイナライズはメニューから実行できます。」であるメッセージを取得し、取得した「プレーヤーで再生するにはファイナライズが必要です。ファイナライズはメニューから実行できます。」であるメッセージを映像音声信号処理部１２に供給することで、「プレーヤーで再生するにはファイナライズが必要です。ファイナライズはメニューから実行できます。」であるメッセージを映像音声出力部１７に表示させる。
【００６７】
ファイナライズ制御部３５は、ディスク制御部１３を制御することにより、ドライブ１８に装着されている光ディスク１９に対して、ファイナライズを実行させる。
【００６８】
記憶部１６は、例えば、EEPROM（Electronically Erasable and Programmable Read Only Memory）またはフラッシュメモリなどの不揮発性メモリなどから構成され、映像音声信号処理部１２が画像データに重畳する表示情報が記憶されている。
【００６９】
例えば、記憶部１６には、セッションクローズなどのファイナライズが必要であることを画像音声出力部１７にOSDで示すための表示情報が記憶されている。
【００７０】
より具体的には、記憶部１６には、例えば、ファイナライズを促すメッセージとして、「プレーヤーで再生するにはファイナライズが必要です。ファイナライズはメニューから実行できます。」、DVDメニュー作成時のファイナライズを促すメッセージとして、「DVDメニューを作成するにはファイナライズが必要です。ファイナライズはメニューから実行できます。」、またはファイナライズを推奨するメッセージとして「プレーヤーで再生できない場合には、ファイナライズをしてください。ファイナライズはメニューから実行できます。」などのメッセージが記憶されている。
【００７１】
映像音声出力部１７は、例えば、LCDのパネル、スピーカ、または外部出力端子などから構成され、映像音声信号処理部１２から供給される画像データまたは音声データを、それぞれの構成要素に出力する。
【００７２】
ドライブ１８は、光ディスク１９が装着されたとき、それらを駆動し、そこに記録されているプログラムやデータなどを取得する。ドライブ１８は、取得したプログラムやデータなどをディスク制御部１３に供給する。
【００７３】
光ディスク１９は、例えば、CD、DVD、またはBlu-ray Discなどのデータの読み書きにレーザー光を利用する記憶媒体である。また、光ディスク１９には、記憶媒体の種類ごとに様々な規格があり、例えば、上述したように、DVDの場合には、DVD-ROM、DVD-RAM、DVD-R、DVD-RW、DVD+R、またはDVD+RWなどの規格がある。
【００７４】
次に、図２を参照して、光ディスク１９としてドライブ１８に装着される光ディスクの種類と記録フォーマット（録画方式）との組み合わせによるファイナライズが必要となるパターンについて説明する。
【００７５】
図２で示される光ディスクの種類と記録フォーマットとの組み合わせによるファイナライズが必要となるパターンの例において、１行目は“光ディスクの種類”の項目を示し、２行目以降は各記録フォーマットのそれぞれのデータを示す。また、１列目は“記録フォーマットの種類”の項目、２列目は“DVD-R”である光ディスクの種類、３列目は“DVD-RW”である光ディスクの種類、４列目は“DVD+RW”である光ディスクの種類を示す。すなわち、図２で示される例は、光ディスクの種類と記録フォーマットとの組み合わせによって、その光ディスクにファイナライズの必要性があるか否かを表している。
【００７６】
図２の左から２列目で上から２個目の“未ファイナライズ”は、DVD-Rに“DVD-Video”である記録フォーマットで記録され、“未ファイナライズ”である場合に、ファイナライズが必要（可能）となることを示す。
【００７７】
また、図２の左から３列目で上から２個目の“未ファイナライズ/ファイナライズ解除”は、DVD-RWに“DVD-Video”である記録フォーマットで記録され、“未ファイナライズ”または“ファイナライズ解除”（すなわち、ファイナライズが解除された状態）である場合に、ファイナライズが必要（可能）となることを示す。
【００７８】
さらに、図２の左から４列目で上から２個目の“-”は、DVD+RWを“DVD-Video”である記録フォーマットでは記録しないので、この組み合わせは存在しないことを示す。言い換えれば、“-”は、ファイナライズが不要であることを示す。以下、図２中の“-”は、ファイナライズが不要であることを示す。
【００７９】
次に、図２の左から２列目で上から３個目の“-”は、DVD-Rを“DVD-VR”である記録フォーマットでは記録しないので（“DVD-VR”である記録フォーマットは、DVD-RWで利用されるので）、この組み合わせは存在しないことを示す。
【００８０】
また、図２の左から３列目で上から３個目の“未ファイナライズ”は、DVD-RWに“DVD-VR”である記録フォーマットで記録され、“未ファイナライズ”である場合に、ファイナライズが必要（可能）となることを示す。
【００８１】
さらに、図２の左から４列目で上から３個目の“-”は、DVD+RWを“DVD-VR”である記録フォーマットでは記録しないので（“DVD-VR”である記録フォーマットは、DVD-RWで利用されるので）、この組み合わせは存在しないことを示す。
【００８２】
次に、図２の左から２列目で上から４個目の“-”は、DVD-Rを“DVD+RW Video”である記録フォーマットでは記録しないので（“DVD+RW Video”である記録フォーマットは、DVD+RWで利用されるので）、この組み合わせは存在しないことを示す。
【００８３】
また、図２の左から３列目で上から４個目の“-”は、DVD-RWを“DVD+RW Video”である記録フォーマットでは記録しないので（“DVD+RW Video”である記録フォーマットは、DVD+RWで利用されるので）、この組み合わせは存在しないことを示す。
【００８４】
さらに、図２の左から４列目で上から４個目の“未ファイナライズ/ファイナライズ済でDVDメニューなし”は、“未ファイナライズ”または“ファイナライズ済でDVDメニューなし（ファイナライズ済みでDVDメニューが存在しない）”である場合にファイナライズが必要（可能）となる。すなわち、ファイナライズ済みでDVDメニューが存在しない場合、既にファイナライズをしている光ディスクは、互換性は高められているため、DVDメニューを作成したいユーザに対してその方法を通知する目的でファイナライズを促すメッセージを表示させる。
【００８５】
すなわち、光ディスクの種類と記録フォーマットとの組み合わせによるファイナライズが必要（可能）となるパターンは、ビデオモードで記録されたDVD-R若しくはDVD-RW、VRモードで記録されたDVD-RW、または+VRモードで記録されたDVD+RWの４パターンがあることになる。
【００８６】
ここで、光ディスクの種類と記録フォーマットについてより詳細な説明をする。
【００８７】
まず、図２で示される光ディスクの種類と記録フォーマットとの組み合わせによるファイナライズが必要となるパターンの例において、１行目に記述されている光ディスクの種類についてより詳細な説明をする。
【００８８】
DVD-Rは、１度だけ書き込みが行える追記（ライトワンス）型のDVDの規格である。DVD-Rは、DVD-ROMまたはDVD-RAMなどの他のDVD規格と互換性があるのが特徴である。DVD-Rは、DVD-Videoの記録フォーマットに対応している。
【００８９】
また、DVD-RWは、書き換え可能型のDVDの規格である。同様の書き換え型のDVD規格としてDVD-RAMもあるが、DVD-RAMがデータ記録用であるのに対して、DVD-RWは、映像記録用途にフォーカスしているのが特徴である。DVD-RWは、DVD-VideoおよびDVD-VRの２つの記録フォーマットに対応している。
【００９０】
さらに、DVD+RWは、書き換え可能なDVDの規格である。DVD-RWと比較して、DVD-ROMと仕様上の互換性が高く、多くのDVD-ROMドライブで読み出せることが特徴である。DVD+RWは、DVD+RW Videoの記録フォーマットに対応している。
【００９１】
なお、図２の光ディスクの種類と記録フォーマットとの組み合わせによるファイナライズが必要となるパターンをテーブルとして記憶部１６に記憶させることにより、ディスク判定部３２は、記憶部１６に記憶されているそのテーブルを基に、上述した４パターン（光ディスクの種類と記録フォーマットとの組み合わせによるファイナライズが必要（可能）となるパターン）を判定するようにしてもよい。
【００９２】
次に、図２で示される光ディスクの種類と記録フォーマットとの組み合わせによるファイナライズが必要となるパターンの例において、１列目に記述されている記録フォーマット（録画方式）についてより詳細な説明をする。
【００９３】
DVD-Videoである記録フォーマット（以下、ビデオモードと称する）は、DVDフォーラムにより策定された、DVDメディアに映像を記録するための技術仕様およびその技術仕様に従って作成された映像DVDのことで、画像圧縮にMPEG-2規格を採用している。ビデオモードは、DVD-RとDVD-RWの記録フォーマットとして用いられている。
【００９４】
DVD-VR（DVD-VideoRecording）である記録フォーマット（以下、VRモードと称する）は、DVDメディアに映像を記録するための記録フォーマットの１つであり、リアルタイムでの録画または後から行う編集に向いていることが特徴である。なお、DVD-Videoとの互換性はない。VRモードは、DVD-RWとDVD-RAMの記録フォーマットとして用いられている。
【００９５】
DVD+RW Videoである記録フォーマット（以下、+VRモードと称する）は、DVD+RWディスクでの動画像記録用途の記録フォーマットである。既存のDVDプレーヤーやパソコン用のドライブでの再生互換性を確保しつつ、リアルタイムでの記録、追記、または書き換えを実現している点が特徴である。+VRモードは、DVD+RWの記録フォーマットとして用いられている。
【００９６】
図２で示される例において、光ディスクの種類と記録フォーマット（記録方式）との組み合わせによって、ファイナライズが必要（可能）となるパターンについて説明したが、図３乃至図１０を参照して、ファイナライズが必要（可能）となる場合に、ユーザに対して、ファイナライズを実行する方法を通知する処理の例について説明する。
【００９７】
まず、図３のフローチャートを参照して、ファイナライズのメッセージ表示の処理について説明する。すなわち、図３のフローチャートは、本発明のデジタルビデオカメラ１のファイナライズを実行する方法を通知する処理の一例として、デジタルビデオカメラ１の映像音声出力部１７にファイナライズのメッセージを表示させる処理を示している。
【００９８】
ステップＳ１１において、ユーザ操作入力部１４は、ユーザの操作により、例えば、デジタルビデオカメラ１に設けられている光ディスクの取り出しボタン（図示せず）が押された場合、光ディスクの取り出しを要求する信号である光ディスク取り出し要求をディスク情報取得部３１に供給する。
【００９９】
図４は、メニューボタンなどを表示するデジタルビデオカメラ１の映像音声出力部１７の画面の例を示す図である。
【０１００】
図４で示される例において、デジタルビデオカメラ１の映像音声出力部１７に画像（太陽、雲、および山の画像（以下、風景画像と称する））が表示され、風景画像に重畳したメニューボタン５１が表示される。
【０１０１】
図３に戻り、例えば、ステップＳ１１において、ユーザ操作入力部１４は、デジタルビデオカメラ１の映像音声出力部１７に風景画像が表示されている状態で、ユーザの操作により、光ディスクの取り出しボタンが押された場合、光ディスク取り出し要求を演算処理部１５に供給する。
【０１０２】
ステップＳ１２において、ディスク情報取得部３１は、ユーザ操作入力部１４から供給された光ディスク取り出し要求を基に、ディスク制御部１３から光ディスク情報として、光ディスクの種類、記録フォーマット、および光ディスク状態の情報を取得する。ディスク情報取得部３１は、ディスク制御部１３から取得した光ディスク情報のうち、光ディスクの種類および記録フォーマットの情報をディスク判定部３２に供給する。また、ディスク情報取得部３１は、ディスク制御部１３から取得した光ディスク情報のうち、光ディスク状態の情報をファイナライズ判定部３３に供給する。
【０１０３】
ステップＳ１３において、ディスク判定部３２は、ディスク情報取得部３１から供給された光ディスクの種類の情報を基に、ドライブ１８に装着されている光ディスク１９の種類は、DVD-R、DVD-RW、またはDVD+RWであるか否かを判定する。
【０１０４】
すなわち、ステップＳ１３の処理においては、ディスク判定部３２が、ディスク情報取得部３１から供給された光ディスクの種類の情報を基に、ドライブ１８に装着されている光ディスク１９の種類が、予め定められた光ディスクの種類であるか否かを判定している。
【０１０５】
ステップＳ１３において、ドライブ１８に装着されている光ディスク１９の種類は、DVD-R、DVD-RW、またはDVD+RWでないと判定された場合、ファイナライズをする必要がないので、ステップＳ２２に進み、ディスク制御部１３は、演算処理部１５の制御の基に、ドライブ１８に装着されている光ディスク１９を取り出す光ディスクの取り出しの処理を実行して、処理は終了する。
【０１０６】
一方、ステップＳ１３において、光ディスクの種類は、DVD-R、DVD-RW、またはDVD+RWであると判定された場合、ステップＳ１４に進み、ディスク判定部３２は、ディスク情報取得部３１から供給された光ディスクの種類および記録フォーマットの情報を基に、ドライブ１８に装着されている光ディスク１９は、ビデオモードで記録されたDVD-R若しくはDVD-RW、またはVRモードで記録されたDVD-RWであるか否かを判定する。
【０１０７】
すなわち、ステップＳ１４の処理においては、ディスク判定部３２が、ディスク情報取得部３１から供給された光ディスクの種類および記録フォーマットの情報を基に、ドライブ１８に装着されている光ディスク１９が予め定められた組み合わせ（例えば、上述した図２の光ディスクの種類と記録フォーマットとの組み合わせによるファイナライズが必要となるパターン）であるか否かを判定している。
【０１０８】
上述したように、例えば、光ディスクの種類と記録フォーマットとの組み合わせによるファイナライズが必要（可能）となるパターンは、ビデオモードで記録されたDVD-R若しくはDVD-RW、VRモードで記録されたDVD-RW、または+VRモードで記録されたDVD+RWの４パターンとなり、４パターンのうち、+VRモードで記録されたDVD+RWのパターンである場合、表示するメッセージが異なるので、ステップＳ１４の処理において、+VRモードで記録されたDVD+RWのパターンと他の３パターンとを判別している。
【０１０９】
ステップＳ１４において、ドライブ１８に装着されている光ディスク１９は、ビデオモードで記録されたDVD-R若しくはDVD-RW、またはVRモードで記録されたDVD-RWであると判定された場合、ステップＳ１５に進み、ファイナライズ判定部３３は、ディスク情報取得部３１から供給された光ディスク状態の情報を基に、ドライブ１８に装着されている光ディスク１９がファイナライズ済みの状態であるか否かを判定する。
【０１１０】
例えば、ステップＳ１５において、ファイナライズ判定部３３は、ディスク情報取得部３１から供給された光ディスク状態の情報に含まれる光ディスクのリードアウト（lead-out）の情報を基に、ドライブ１８に装着されている光ディスク１９がファイナライズ済みの状態であるか否かを判定する。
【０１１１】
ステップＳ１５において、ドライブ１８に装着されている光ディスク１９がファイナライズをされていない状態であると判定された場合、ステップＳ１６に進み、メッセージ表示制御部３４は、記憶部１６に記憶されているファイナライズを促すメッセージを取得し、取得したファイナライズを促すメッセージを映像音声信号処理部１２に供給する。映像音声信号処理部１２は、メッセージ表示制御部３４から供給されたファイナライズを促すメッセージを映像音声出力部１７に供給することにより、ファイナライズを促すメッセージを映像音声出力部１７に表示させる。
【０１１２】
例えば、ステップＳ１６において、メッセージ表示制御部３４は、ファイナライズを促すメッセージとして記憶部１６に記憶されている「プレーヤーで再生するにはファイナライズが必要です。ファイナライズはメニューから実行できます。」であるメッセージを取得し、取得した「プレーヤーで再生するにはファイナライズが必要です。ファイナライズはメニューから実行できます。」であるメッセージを映像音声信号処理部１２に供給する。映像音声信号処理部１２は、メッセージ表示制御部３４から供給された「プレーヤーで再生するにはファイナライズが必要です。ファイナライズはメニューから実行できます。」であるメッセージを映像音声出力部１７に供給することにより、「プレーヤーで再生するにはファイナライズが必要です。ファイナライズはメニューから実行できます。」であるメッセージを映像音声出力部１７に表示させる。
【０１１３】
図５は、ファイナライズのメッセージなどを表示するデジタルビデオカメラ１の映像音声出力部１７の画面の例を示す図である。
【０１１４】
図５で示される例において、デジタルビデオカメラ１の映像音声出力部１７には、例えば、風景画像に重畳したメッセージ６１として、「プレーヤーで再生するにはファイナライズが必要です。ファイナライズはメニューから実行できます。」が表示され、さらに、メニューボタン５１も表示される。
【０１１５】
図３に戻り、一方、ステップＳ１５において、ドライブ１８に装着されている光ディスク１９がファイナライズ済みの状態であると判定された場合、ファイナライズをする必要はないので、ステップＳ２２に進み、ディスク制御部１３は、演算処理部１５の制御の基に、ドライブ１８に装着されている光ディスク１９を取り出す光ディスクの取り出しの処理を実行して、処理は終了する。
【０１１６】
ステップＳ１４において、光ディスクは、ビデオモードで記録されたDVD-R若しくはDVD-RW、またはVRモードで記録されたDVD-RWでないと判定された場合、すなわち、+RWモードで記録されたDVD+RWであると判定された場合、ステップＳ１７に進み、ファイナライズ判定部３３は、ドライブ１８に装着されている光ディスク１９がファイナライズされたことがあるか否かを判定する。
【０１１７】
例えば、ステップＳ１４において、ファイナライズ判定部３３は、ディスク情報取得部３１から供給された光ディスク状態の情報に含まれる光ディスクのリードアウト（lead-out）の情報を基に、ドライブ１８に装着されている光ディスク１９がファイナライズされたことがあるか否かを判定する。
【０１１８】
ステップＳ１７において、ドライブ１８に装着されている光ディスク１９がファイナライズされたことがあると判定された場合、ステップＳ１８に進み、メッセージ表示制御部３４は、記憶部１６に記憶されているDVDメニュー作成時のファイナライズを促すメッセージを取得し、取得したDVDメニュー作成時のファイナライズを促すメッセージを映像音声信号処理部１２に供給する。映像音声信号処理部１２は、メッセージ表示制御部３４から供給されたDVDメニュー作成時のファイナライズを促すメッセージを映像音声出力部１７に供給することにより、DVDメニュー作成時のファイナライズを促すメッセージを映像音声出力部１７に表示させる。
【０１１９】
例えば、ステップＳ１８において、メッセージ表示制御部３４は、DVDメニュー作成時のファイナライズを促すメッセージとして記憶部１６に記憶されている「DVDメニューを作成するにはファイナライズが必要です。ファイナライズはメニューから実行できます。」であるメッセージを取得し、取得した「DVDメニューを作成するにはファイナライズが必要です。ファイナライズはメニューから実行できます。」であるメッセージを映像音声信号処理部１２に供給する。映像音声信号処理部１２は、メッセージ表示制御部３４から供給された「DVDメニューを作成するにはファイナライズが必要です。ファイナライズはメニューから実行できます。」であるメッセージを映像音声出力部１７に供給することにより、「DVDメニューを作成するにはファイナライズが必要です。ファイナライズはメニューから実行できます。」であるメッセージを映像音声出力部１７に表示させる。
【０１２０】
図６は、ファイナライズのメッセージなどを表示するデジタルビデオカメラ１の映像音声出力部１７の画面の例を示す図である。
【０１２１】
図６で示される例において、デジタルビデオカメラ１の映像音声出力部１７には、例えば、風景画像に重畳したメッセージ６２として、「DVDメニューを作成するにはファイナライズが必要です。ファイナライズはメニューから実行できます。」が表示され、さらに、メニューボタン５１も表示される。
【０１２２】
図３に戻り、一方、ステップＳ１７において、ドライブ１８に装着されている光ディスク１９がファイナライズされたことがないと判定された場合、ステップＳ１９に進み、メッセージ表示制御部３４は、記憶部１６に記憶されているファイナライズを推奨するメッセージを取得し、取得したファイナライズを推奨するメッセージを映像音声信号処理部１２に供給する。映像音声信号処理部１２は、メッセージ表示制御部３４から供給されたファイナライズを推奨するメッセージを映像音声出力部１７に供給することにより、ファイナライズを推奨するメッセージを映像音声出力部１７に表示させる。
【０１２３】
例えば、ステップＳ１９において、メッセージ表示制御部３４は、ファイナライズを推奨するメッセージとして記憶部１６に記憶されている「プレーヤーで再生できない場合にはファイナライズしてください。ファイナライズはメニューから実行できます。」であるメッセージを取得し、取得した「プレーヤーで再生できない場合にはファイナライズしてください。ファイナライズはメニューから実行できます。」であるメッセージを映像音声信号処理部１２に供給する。映像音声信号処理部１２は、メッセージ表示制御部３４から供給された「プレーヤーで再生できない場合にはファイナライズしてください。ファイナライズはメニューから実行できます。」であるメッセージを映像音声出力部１７に供給することにより、「プレーヤーで再生できない場合にはファイナライズしてください。ファイナライズはメニューから実行できます。」であるメッセージを映像音声出力部１７に表示させる。
【０１２４】
図７は、ファイナライズのメッセージなどを表示するデジタルビデオカメラ１の映像音声出力部１７の画面の例を示す図である。
【０１２５】
図７で示される例において、デジタルビデオカメラ１の映像音声出力部１７には、例えば、風景画像に重畳したメッセージ６３として、「プレーヤーで再生できない場合にはファイナライズしてください。ファイナライズはメニューから実行できます。」が表示され、さらに、メニューボタン５１も表示される。
【０１２６】
図３に戻り、ステップＳ２０において、ファイナライズ判定部３３は、ユーザの操作により、ファイナライズを実行するか否かを判定する。
【０１２７】
図８は、ファイナライズを実行するボタンなどを表示するデジタルビデオカメラ１の映像音声出力部１７の画面の例を示す図である。
【０１２８】
図８で示される例において、デジタルビデオカメラ１の映像音声出力部１７には、例えば、風景画像に重畳したファイナライズボタン５２が表示され、さらに、メニューボタン５１も表示される。
【０１２９】
例えば、ステップＳ２０において、ファイナライズ判定部３３は、ユーザの操作により、ファイナライズボタン５２が押された場合、ファイナライズを実行すると判定する。
【０１３０】
なお、図８のファイナライズを実行するボタンなどを表示するデジタルビデオカメラ１の映像音声出力部１７の画面は、例えば、ユーザの操作により、図４乃至図７、並びに後述する図９および図１０のメニューボタン５１が押された場合に表示される。
【０１３１】
図３に戻り、ステップＳ２０において、ファイナライズを実行すると判定された場合、ステップＳ２１に進み、ファイナライズ制御部３５は、ディスク制御部１３を制御することにより、ドライブ１８に装着されている光ディスク１９にファイナライズの処理を実行させる。
【０１３２】
一方、ステップＳ２０において、ファイナライズを実行しないと判定された場合、ステップＳ２２に進み、ディスク制御部１３は、演算処理部１５の制御の基に、ドライブ１８に装着されている光ディスク１９を取り出す光ディスクの取り出しの処理を実行して、処理は終了する。
【０１３３】
例えば、ステップＳ２２において、ディスク制御部１３は、図８の風景画像に重畳したファイナライズボタン５２が押されなかった場合、演算処理部１５の制御の基に、ドライブ１８に装着されている光ディスク１９を取り出す光ディスクの取り出しの処理を実行する。
【０１３４】
なお、ファイナライズが必要な場合のメッセージは、上述した例に限らず、例えば、ファイナライズが必要な場合にファイナライズを行うために必要な実行時間などを表示させるようにしてもよい。
【０１３５】
図９は、ファイナライズのメッセージなどを表示するデジタルビデオカメラ１の映像音声出力部１７の画面の例を示す図である。
【０１３６】
図９で示される例において、デジタルビデオカメラ１の映像音声出力部１７には、例えば、風景画像に重畳したメッセージ６４として、「プレーヤーで再生するにはファイナライズが必要です。ファイナライズはメニューから実行できます。ファイナライズには３０分かかります。」が表示され、さらに、メニューボタン５１も表示される。
【０１３７】
このように、時間のかかる処理であるファイナライズ処理時間を予め表示しておくことにより、ファイナライズ処理の終了時間の目安となり、ユーザはストレスなくファイナライズを行うことができる。また、ファイナライズを実行する場合に、ファイナライズが終了するまでの残り時間を表示することにより、ユーザは、より明確にファイナライズの終了時間を知ることができる。
【０１３８】
さらに、ファイナライズが不要な場合にもメッセージを表示させるようにしてもよい。
【０１３９】
図１０は、ファイナライズのメッセージなどを表示するデジタルビデオカメラ１の映像音声出力部１７の画面の例を示す図である。
【０１４０】
図１０で示される例において、デジタルビデオカメラ１の映像音声出力部１７には、例えば、風景画像に重畳したメッセージ６５として、「ファイナライズは不要です。対応プレーヤーで再生が可能です。」が表示され、さらに、メニューボタン５１も表示される。
【０１４１】
図１０のファイナライズのメッセージなどを表示するデジタルビデオカメラ１の映像音声出力部１７の画面は、例えば、図３のステップＳ１５の処理で、ドライブ１８に装着されている光ディスク１９がファイナライズ済みの状態であると判定された場合、風景画像に重畳したメッセージ６５を映像音声出力部１７に表示させることで、ユーザに対して、ドライブ１８に装着されている光ディスク１９のファイナライズが既に終了していることを通知することができる。
【０１４２】
このように、ファイナライズが不要な場合にもメッセージを表示することで、ユーザに対して、ドライブ１８に装着されている光ディスク１９のファイナライズが既に終了していることを通知することができるので、ユーザは、より確実に、光ディスクをプレーヤーなどで再生することができる。
【０１４３】
以上のように、ファイナライズが必要な場合に、光ディスクの種類および記録フォーマットに応じたメッセージを表示することができるので、ユーザの操作により、光ディスク１９にファイナライズの処理を実行することで、他の記録再生装置で再生をするときに、より確実に光ディスクを再生することができる。
【０１４４】
上述した一連の処理は、パーソナルコンピュータにより実行するようにしてもよい。
【０１４５】
図１１は、上述した一連の処理をパーソナルコンピュータにより実行するデジタルビデオカメラ１の構成の例を示すブロック図である。CPU１０１は、ROM１０２、または記録部１０８に記録されているプログラムに従って各種の処理を実行する。RAM１０３には、CPU１０１が実行するプログラムやデータなどが適宜記憶される。これらのCPU１０１、ROM１０２、およびRAM１０３は、バス１０４により相互に接続されている。
【０１４６】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果得られた画像等を出力部１０７に出力する。
【０１４７】
入出力インターフェース１０５に接続されている記録部１０８は、例えばハードディスクなどで構成され、CPU１０１が実行するプログラムや各種のデータを記録する。通信部１０９は、インターネット、その他のネットワークを介して外部の装置と通信する。この例の場合、通信部１０９は、入力画像を取得するか、または出力画像を出力する、外部とのインターフェースとして動作する。
【０１４８】
また、通信部１０９を介してプログラムを取得し、記録部１０８に記録してもよい。
【０１４９】
入出力インターフェース１０５に接続されているドライブ１１０は、磁気ディスク１２１、光ディスク１２２、光磁気ディスク１２３、または半導体メモリ１２４などが装着されたとき、それらを駆動し、そこに記録されているプログラムやデータなどを取得する。取得されたプログラムやデータは、必要に応じて記録部１０８に転送され、記録される。
【０１５０】
一連の処理をさせるプログラムが格納されている記録媒体は、図１１に示すように、コンピュータとは別に、ユーザにプログラムを提供するために配布される、プログラムが記録されている磁気ディスク１２１（フレキシブルディスクを含む）、光ディスク１２２（CD-ROM(Compact Disc-Read Only Memory)、DVDを含む）、光磁気ディスク１２３（MD(Mini-Disc)（商標）を含む）、若しくは半導体メモリ１２４などよりなるパッケージメディアにより構成されるだけでなく、コンピュータに予め組み込まれた状態でユーザに提供される、プログラムが記録されているROM１０２や、記録部１０８に含まれるハードディスクなどで構成される。
【０１５１】
なお、上述した一連の処理を実行させるプログラムは、必要に応じてルータ、モデムなどのインターフェースを介して、ローカルエリアネットワーク、インターネット、デジタル衛星放送といった、有線または無線の通信媒体を介してコンピュータにインストールされるようにしてもよい。
【０１５２】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１５３】
【図１】本発明を適用したデジタルビデオカメラの一実施の形態の構成を示すブロック図である。
【図２】ディスクの種類と記録フォーマットとの組み合わせによるファイナライズが必要となるパターンを示す図である。
【図３】ファイナライズのメッセージ表示の処理を説明するフローチャートである。
【図４】メニューボタンなどを表示するデジタルビデオカメラの映像音声出力部の画面の例を示す図である。
【図５】ファイナライズのメッセージなどを表示するデジタルビデオカメラの映像音声出力部の画面の例を示す図である。
【図６】ファイナライズのメッセージなどを表示するデジタルビデオカメラの映像音声出力部の画面の例を示す図である。
【図７】ファイナライズのメッセージなどを表示するデジタルビデオカメラの映像音声出力部の画面の例を示す図である。
【図８】ファイナライズを実行するボタンなどを表示するデジタルビデオカメラの映像音声出力部の画面の例を示す図である。
【図９】ファイナライズのメッセージなどを表示するデジタルビデオカメラの映像音声出力部の画面の例を示す図である。
【図１０】ファイナライズのメッセージなどを表示するデジタルビデオカメラの映像音声出力部の画面の例を示す図である。
【図１１】デジタルビデオカメラの構成を説明するブロック図である。
【符号の説明】
【０１５４】
１  デジタルビデオカメラ，  １１  映像音声信号入力部，  １２  映像音声信号処理部，  １３  ディスク制御部，  １４  ユーザ操作入力部，  １５  演算処理部，  １６  記憶部，  １７  映像音声出力部，  １８  ドライブ，  １９  光ディスク，  ３１  ディスク情報取得部，  ３２  ディスク判定部，  ３３  ファイナライズ判定部，  ３４  メッセージ表示制御部，  ３５  ファイナライズ制御部
【図１】
2008159262.tif 000003
【図２】
2008159262.tif 000004
【図３】
2008159262.tif 000005
【図４】
2008159262.tif 000006
【図５】
2008159262.tif 000007
【図６】
2008159262.tif 000008
【図７】
2008159262.tif 000009
【図８】
2008159262.tif 000010
【図９】
2008159262.tif 000011
【図１０】
2008159262.tif 000012
【図１１】
2008159262.tif 000013